(57)【要約】【課題】粒子同士のカップリングを防止し、高いコントラストを表現することのできる表示シート、この表示シートを用いた表示装置および電子機器を提供する。【解決手段】表示装置２０は、複数の収容部４０を有する表示層４００を備え、各収容部４００は、複数の第１の粒子５ａを第１の分散媒６ａに分散してなる第１の分散液１０ａが封入された第１の収容部４０１と、第１の収容部４０１および第１の粒子５ａと色彩が異なり正または負に帯電する複数の第２の粒子５ｂを第２の分散媒６ｂに分散してなる第２の分散液１０ｂが封入された第２の収容部４０２とを有し、第１の収容部４０１、各第１の粒子５ａおよび第１の分散媒６ａの電荷の総和の絶対値が、各第２の粒子５ｂの電荷の総和の絶対値よりも小さい。【選択図】図１
2011232452.tif 000002
【特許請求の範囲】
【請求項１】
複数の収容部を有する表示層を備える表示シートであって、
各前記収容部は、複数の第１の粒子を第１の分散媒に分散してなる第１の分散液が封入された少なくとも１つの第１の収容部と、少なくとも１つの前記第１の収容部および前記第１の粒子と色彩が異なり正または負に帯電する複数の第２の粒子を第２の分散媒に分散してなる第２の分散液が封入された第２の収容部とを有し、
前記第１の収容部、前記複数の第１の粒子および前記第１の分散媒の電荷の総和の絶対値が、前記複数の第２の粒子の電荷の総和の絶対値よりも小さいことを特徴とする表示シート。
【請求項２】
前記第１の収容部、前記複数の第１の粒子および前記第１の分散媒の電荷の総和は、０である請求項１に記載の表示シート。
【請求項３】
複数の収容部を有する表示層を備える表示シートであって、
各前記収容部は、複数の第１の粒子を第１の分散媒に分散してなる第１の分散液が封入された少なくとも１つの第１の収容部と、少なくとも１つの前記第１の収容部および前記第１の粒子と色彩が異なり正または負に帯電する複数の第２の粒子を第２の分散媒に分散してなる第２の分散液が封入された第２の収容部とを有し、
前記第１の収容部、前記複数の第１の粒子および前記第１の分散媒の電荷の総和は、略０であることを特徴とする表示シート。
【請求項４】
前記表示層に印加する電界パターンを選択することにより、前記第２の粒子が前記表示層の一方の面側に偏在する状態と、前記第２の粒子が前記表示層の他方の面側に偏在する状態とを選択することができる請求項１ないし３のいずれかに記載の表示シート。
【請求項５】
前記第１の収容部は、前記第２の分散媒中に浮遊している請求項１ないし４のいずれかに記載の表示シート。
【請求項６】
前記表示層の平面視にて、第１の収容部の面積をＳ１とし、第２の収容部の面積をＳ２としたとき、０．４Ｓ２≦Ｓ１≦０．９Ｓ２なる関係を満足する請求項１ないし５のいずれかに記載の表示シート。
【請求項７】
前記第１の収容部および前記第２の収容部のすくなくとも一方は、マイクロカプセルである請求項１ないし６のいずれかに記載の表示シート。
【請求項８】
前記第１の分散媒および前記第２の分散媒の少なくとも一方は、水系の分散媒であり、他方は、非水系の分散媒である請求項１ないし７のいずれかに記載の表示シート。
【請求項９】
前記第１の粒子は、白色の粒子である請求項１ないし８のいずれかに記載の表示シート。
【請求項１０】
前記第１の粒子は、非帯電粒子である請求項９に記載の表示シート。
【請求項１１】
前記第２の収容部には、複数の前記第１の収容部が収容されている請求項１ないし１０のいずれかに記載の表示シート。
【請求項１２】
請求項１ないし１１のいずれかに記載の表示シートを備えることを特徴とする表示装置。
【請求項１３】
請求項１２に記載の表示装置を備えることを特徴とする電子機器。
【発明の詳細な説明】
【技術分野】
【０００１】
本発明は、表示シート、表示装置および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
特許文献１には、対向配置された一対の電極と、これら一対の電極間に設けられ、複数のマイクロカプセルを平面状に配列してなるマイクロカプセル表示層とを有する電気泳動表示装置が記載されている。また、各マイクロカプセルは、第１のカプセルに、正に帯電した白色粒子と第２のカプセルとを分散媒に分散してなる分散液を封入することにより構成されており、さらに第２のカプセルには、負に帯電した黒色粒子を分散媒に分散してなる分散液が封入されている。
【０００３】
特許文献１の電気泳動表示装置では、マイクロカプセル表示層に電界を作用させ、マイクロカプセルごとに、一方の電極側に白色粒子が偏在し、他方の電極側に第２のカプセル殻（黒色粒子）が偏在した状態と、一方の電極側に第２のカプセル殻（黒色粒子）が偏在し、他方の電極側に白色粒子が偏在した状態とを選択することにより、所望の白黒画像を表示するように構成されている。このような構成とすることにより、白色粒子と黒色粒子とのカップリング（電気的な吸着）を抑制している。
【０００４】
しかしながら、特許文献１に記載の電気泳動表示装置では、黒色粒子が負に帯電しているため、第２のカプセル全体として負に帯電しているに等しい。そのため、実質的に、負に帯電し、粒子径の大きい黒色の粒子を使用しているに過ぎず、白色粒子と第２のカプセルとのカップリングが発生してしまう（すなわち、前述したようなカップリングの抑制効果を発揮することができない）。そのため、特許文献１に記載の電気泳動表示装置では、高いコントラストを表現することができないという問題がある。
【先行技術文献】
【特許文献】
【０００５】
【特許文献１】特開２００７−２０６１４５号公報
【発明の概要】
【発明が解決しようとする課題】
【０００６】
本発明の目的は、粒子同士のカップリングを防止し、高いコントラストを表現することのできる表示シート、この表示シートを用いた表示装置および電子機器を提供することにある。
【課題を解決するための手段】
【０００７】
このような目的は、下記の本発明により達成される。
本発明の表示シートは、複数の収容部を有する表示層を備える表示シートであって、
各前記収容部は、複数の第１の粒子を第１の分散媒に分散してなる第１の分散液が封入された少なくとも１つの第１の収容部と、少なくとも１つの前記第１の収容部および前記第１の粒子と色彩が異なり正または負に帯電する複数の第２の粒子を第２の分散媒に分散してなる第２の分散液が封入された第２の収容部とを有し、
前記第１の収容部、前記複数の第１の粒子および前記第１の分散媒の電荷の総和の絶対値が、前記複数の第２の粒子の電荷の総和の絶対値よりも小さいことを特徴とする。
これにより、粒子同士のカップリングを防止し、高いコントラストを表現することのできる表示シートを提供することができる。
【０００８】
本発明の表示シートでは、前記第１の収容部、前記複数の第１の粒子および前記第１の分散媒の電荷の総和は、０であることが好ましい。
これにより、より確実に、粒子同士のカップリングを防止することができる。
本発明の表示シートは、複数の収容部を有する表示層を備える表示シートであって、
各前記収容部は、複数の第１の粒子を第１の分散媒に分散してなる第１の分散液が封入された少なくとも１つの第１の収容部と、少なくとも１つの前記第１の収容部および前記第１の粒子と色彩が異なり正または負に帯電する複数の第２の粒子を第２の分散媒に分散してなる第２の分散液が封入された第２の収容部とを有し、
前記第１の収容部、前記複数の第１の粒子および前記第１の分散媒の電荷の総和は、略０であることを特徴とする。
これにより、粒子同士のカップリングを防止し、高いコントラストを表現することのできる表示シートを提供することができる。
【０００９】
本発明の表示シートでは、前記表示層に印加する電界パターンを選択することにより、前記第２の粒子が前記表示層の一方の面側に偏在する状態と、前記第２の粒子が前記表示層の他方の面側に偏在する状態とを選択することができることが好ましい。
これにより、第１の粒子の色と、第２の粒子の色との２色で画像を表示することができる。
【００１０】
本発明の表示シートでは、前記第１の収容部は、前記第２の分散媒中に浮遊していることが好ましい。
これにより、第２の分散媒中の第２の粒子の泳動が阻害されるのを防止することができる。そのため、表示シートは、優れた表示特性を発揮することができる。
本発明の表示シートでは、前記表示層の平面視にて、第１の収容部の面積をＳ１とし、第２の収容部の面積をＳ２としたとき、０．４Ｓ２≦Ｓ１≦０．９Ｓ２なる関係を満足することが好ましい。
これにより、第１の粒子の色を表示した状態にて、第１の収容部によって、より確実に、第２の粒子を塞ぎ隠すことができる（すなわち、第２の粒子が視認されてしまうのを防止することができる）。さらには、第２の粒子の移動空間を比較的大きく確保することができるため、第２の粒子を円滑に泳動させることができる。
【００１１】
本発明の表示シートでは、前記第１の収容部および前記第２の収容部のすくなくとも一方は、マイクロカプセルであることが好ましい。
これにより、収容部の構成が簡単となる。
本発明の表示シートでは、前記第１の分散媒および前記第２の分散媒の少なくとも一方は、水系の分散媒であり、他方は、非水系の分散媒であることが好ましい。
これにより、収容部の製造が簡単となる。
【００１２】
本発明の表示シートでは、前記第１の粒子は、白色の粒子であることが好ましい。
これにより、明るい（反射率の高い）白色を表示することができる。すなわち、表示コントラストを高めることができる。
本発明の表示シートでは、前記第１の粒子は、非帯電粒子であることが好ましい。
これにより、より明るい白色を表示することができる。
【００１３】
本発明の表示シートでは、前記第２の収容部には、複数の前記第１の収容部が収容されていることが好ましい。
これにより、第２の収容部内で複数の第１の収容部が分散するため、第２の収容部内での第１の粒子の分散性を向上させることができる。
本発明の表示装置は、本発明の表示シートを備えることを特徴とする。
これにより、粒子同士のカップリングを防止し、高いコントラストを表現することのできる表示装置を提供することができる。
本発明の電子機器は、本発明の表示装置を備えることを特徴とする。
これにより、粒子同士のカップリングを防止し、高いコントラストを表現することのできる電子機器を提供することができる。
【図面の簡単な説明】
【００１４】
【図１】本発明の表示装置の第１実施形態を示す断面図である。
【図２】図１に示す表示装置が有するマイクロカプセルの製造方法を示す図である。
【図３】図１に示す表示装置が有するマイクロカプセルの製造方法を示す図である。
【図４】図１に示す表示装置の作動を示す断面図である。
【図５】本発明の第２実施形態にかかる表示装置が有するマイクロカプセルを示す断面図である。
【図６】本発明の表示装置の第３実施形態を示す断面図である。
【図７】本発明の表示装置の第４実施形態を示す断面図である。
【図８】本発明の電子機器を電子ペーパーに適用した場合の実施形態を示す斜視図である。
【図９】本発明の電子機器をディスプレイに適用した場合の実施形態を示す図である。
【発明を実施するための形態】
【００１５】
以下、本発明の表示シート、表示装置および電子機器を添付図面に示す好適な実施形態に基づいて詳細に説明する。
１．表示装置
まず、本発明の表示シートを組み込んだ表示装置（本願発明の表示装置）について説明する。
【００１６】
＜第１実施形態＞
図１は、本発明の表示装置の第１実施形態を示す断面図、図２および図３は、それぞれ、図１に示す表示装置が有するマイクロカプセルの製造方法を示す図、図４は、図１に示す表示装置の作動を示す断面図である。なお、以下では、説明の都合上、図１および図２中の上側を「上」、下側を「下」として説明を行う。
【００１７】
図１に示す表示装置（電気泳動表示装置）２０は、表示シート（フロントプレーン）２１と、回路基板（バックプレーン）２２とを有している。
表示シート２１は、平板状の基部２および基部２の下面に設けられた第２の電極４を備える基板１２と、基板１２上に設けられ、マイクロカプセル（収容部）４０とバインダー４１とで構成された表示層４００と、基板１２と回路基板２２との間の間隙を気密的に封止する封止部７とを有している。
一方、回路基板２２は、平板状の基部１と基部１の上面に設けられた複数の第１の電極３とを備える対向基板１１と、この対向基板１１（基部１）に設けられた、例えばＴＦＴ等のスイッチング素子を含む回路（図示せず）とを有している。
【００１８】
以下、各部の構成について順次説明する。
基部１および基部２は、それぞれ、シート状（平板状）の部材で構成され、これらの間に配置される各部材を支持および保護する機能を有する。各基部１、２は、それぞれ、可撓性を有するもの、硬質なもののいずれであってもよいが、可撓性を有するものであるのが好ましい。可撓性を有する基部１、２を用いることにより、可撓性を有する表示装置２０、すなわち、例えば電子ペーパーを構築する上で有用な表示装置２０を得ることができる。
【００１９】
各基部（基材層）１、２を可撓性を有するものとする場合、その構成材料としては、それぞれ、例えば、ＰＥＴ（ポリエチレンテレフタレート）、ＰＥＮ（ポリエチレンナフタレート）等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００２０】
このような基部１、２の平均厚さは、それぞれ、構成材料、用途等により適宜設定され、特に限定されないが、可撓性を有するものとする場合、２０μｍ以上、５００μｍ以下程度であるのが好ましく、２５μｍ以上、２５０μｍ以下程度であるのがより好ましい。これにより、表示装置２０の柔軟性と強度との調和を図りつつ、表示装置２０の小型化（特に、薄型化）を図ることができる。
【００２１】
これらの基部１、２の表示層４００側の面、すなわち、基部１の上面および基部２の下面に、それぞれ、層状（膜状）をなす第１の電極３および第２の電極４が設けられている。本実施形態では、第２の電極４が共通電極とされ、第１の電極３がマトリックス状（行列状）に分割された個別電極（スイッチング素子に接続された画素電極）とされており、第２の電極４と１つの第１の電極３とが重なる部分が１画素を構成する。なお、第２の電極４も、第１の電極３と同様に複数に分割するようにしてもよい。また、第１の電極３がストライプ状に分割され、第２の電極も同様にストライプ状に分割され、これらが交差するように配置された形態であってもよい。
【００２２】
各電極３、４の構成材料としては、それぞれ、実質的に導電性を有するものであれば特に限定されず、例えば、金、銀、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）、インジウムスズ酸化物（ＩＴＯ）、フッ素ドープ酸化スズ（ＦＴＯ）等の導電性酸化物材料のような各種導電性材料が挙げられ、これらのうちの１種または２種以上を組み合わせて用いることができる。
このような電極３、４の平均厚さは、それぞれ、構成材料、用途等により適宜設定され、特に限定されないが、０．０１μｍ以上、１０μｍ以下程度であるのが好ましく、０．０２μｍ以上、５μｍ以下程度であるのがより好ましい。
【００２３】
ここで、各基部１、２および各電極３、４のうち、表示面１２１側に配置される基部および電極（本実施形態では、基部２および第２の電極４）は、それぞれ、光透過性を有するもの、すなわち、実質的に透明（無色透明、有色透明または半透明）とされる。これにより、後述する電気泳動分散液１０中における電気泳動粒子５の状態、すなわち表示装置２０に表示された情報（画像）を目視により容易に認識することができる。
【００２４】
表示シート２１では、第２の電極４の下面に接触して、表示層４００が設けられている。表示層４００は、複数のマイクロカプセル（収容部）４０がバインダー４１により保持された構成をなしている。
図１に示すように、マイクロカプセル４０は、対向基板１１と基板１２との間に、縦横に並列するように単層で（厚さ方向に重なることなく１個ずつ）、かつ、表示層４００の厚さ方向全体に配設されている。すなわち、マイクロカプセル４０は、表示層４００において、その面方向に隣接するもの同士が互いに接触し、かつ、厚さ方向に積層することなく配列している。そして、以上のように配置された各マイクロカプセル４０は、対向基板１１と基板１２とで挟持されても、上下方向に圧縮（圧迫）されることなく、ほぼ球状（球形状）をなしている。
【００２５】
このようなマイクロカプセル（収容部）４０は、第１のマイクロカプセル（第１の収容部）４０１と第２のマイクロカプセル（第２の収容部）４０２とを有しており、１つの第１のマイクロカプセル４０１が第２のマイクロカプセル４０２内に封入されている。このように、第１の収容部および第２の収容部を共にマイクロカプセルによって構成することにより、収容部の構成が簡単となる。
【００２６】
具体的には、第１のマイクロカプセル４０１は、カプセル本体４０１ａを有しており、このカプセル本体４０１ａ内に、複数の白色粒子（第１の粒子）５ａを第１の分散媒（液相分散媒）６ａに分散（懸濁）してなる第１の分散液１０ａが封入されている。一方、第２のマイクロカプセル４０２は、カプセル本体４０２ａを有しており、このカプセル本体４０２ａ内に、複数の着色粒子（第２の粒子）５ｂと１つの第１のマイクロカプセル４０１とを第２の分散媒（液相分散媒）に分散してなる第２の分散液１０ｂが封入されている。
【００２７】
マイクロカプセル４０の粒子径（平均粒子径）、すなわち第２のマイクロカプセル４０２の粒子径（平均粒子径）は、特に限定されないが、５μｍ以上、３００μｍ以下程度であるのが好ましく、１０μｍ以上、２００μｍ以下程度であるのがより好ましく、１０μｍ以上、１００μｍ以下程度であるのがさらに好ましい。マイクロカプセル４０の粒子径が５μｍ未満であると、第２のマイクロカプセル４０２内に収容された第２の粒子５ｂの色相、粒径および量（数）等にもよるが、充分な表示濃度が得られないおそれがある。逆に、マイクロカプセル４０の粒子径が３００μｍを超えると、第２のマイクロカプセル４０２の構成（構成材料等）にもよるが、マイクロカプセル４０のカプセル強度が低下することがある。また、第２のマイクロカプセル４０２に封入した分散液１０ｂ中における第２の粒子５ｂの移動特性（電気泳動特性）が充分に発揮されず、表示のための起動電圧も高くなるおそれがある。
【００２８】
また、マイクロカプセル４０の粒子径の変動係数（粒度分布の狭さ）、すなわち第２のマイクロカプセル４０２の粒子径の変動係数は、特に限定されないが、１５％以下であるのが好ましく、１０％以下であるのがより好ましく、０％であるのがさらに好ましい。マイクロカプセル４０の粒子径の変動係数が２５％を超えると、有効な粒子径を有するマイクロカプセル４０の存在が少なく、多数のマイクロカプセル４０を用いる必要が生じることがある。また、第１の電極３および第２の電極４の間に、同一の電圧を印加した場合でも、作用する電界の大きさが複数のマイクロカプセル４０間でそれぞれ異なってしまうたた、表示特性が低下するおそれがある。
【００２９】
第１のマイクロカプセル４０１のカプセル本体４０１ａおよび第２のマイクロカプセル４０２のカプセル本体４０２ａの構成材料としては、それぞれ、特に限定されず、例えば、ゼラチン、アラビアゴムとゼラチンとの複合材料、ウレタン系樹脂、メラミン系樹脂、尿素樹脂、エポキシ系樹脂、フェノール系樹脂、アクリル系樹脂、ウレタン系樹脂、オレフィン系樹脂、ポリアミド、ポリエーテルのような各種樹脂材料が挙げられ、これらのうち１種または２種以上を組み合わせて用いることができる。これらの中でも、カプセル本体４０１ａ、４０２ａは、メラミン系樹脂を主材料して構成されているのが好ましい。メラミン系樹脂は３次元網目構造を形成することから、かかる樹脂を用いて形成されたカプセル本体４０１ａ、４０２ａは、優れた硬度を有し、球形を維持できる。
前述したように、カプセル本体４０１ａ内に封入された第１の分散液１０ａは、白色粒子５ａを第１の分散媒６ａに分散してなる。また、カプセル本体４０２ａ内に封入された第２の分散液１０ｂは、第１のマイクロカプセル４０１および着色粒子５ｂを第２の分散媒６ｂに分散してなる。
【００３０】
第１の分散媒６ａとしては、カプセル本体４０１ａに対する溶解性が低く、かつ比較的高い絶縁性を有するものが好適に使用される。また、第２の分散媒６ｂとしては、カプセル本体４０１ａ、４０２ａに対する溶解性が低く、かつ比較的高い絶縁性を有するものが好適に使用される。これら分散媒６ａ、６ｂとしては、特に限定されず、水系溶媒、非水系溶媒を用いることができる。
【００３１】
水系溶媒としては、例えば、各種水（例えば、蒸留水、純水、イオン交換水、ＲＯ水等）、メタノール、エタノール、イソプロパノール、ブタノール等の低級アルコール類等が挙げられる。低級アルコール類には、メトキシ基等の疎水性の低い置換基が導入されていてもよい。また水系溶媒としては、水と親水性有機溶媒との混合溶媒も挙げられる。混合溶媒に混合される親水性有機溶媒としては、例えば、メタノール、エタノール、ｎ−プロピルアルコール、イソプロピルアルコール、アリルアルコール等のアルコール類、エチレングリコール、プロピレングリコール、ブチレングリコール、ヘキシレングリコール、ペンタンジオール、ヘキサンジオール、ヘプタンジオール、ジプロピレングリコール等のグリコール類、アセトン、メチルエチルケトン、メチルプロピルケトン、メチルイソブチルケトン等のケトン類、ギ酸メチル、ギ酸エチル、酢酸メチル、アセト酢酸メチル等のエステル類、ジエチレングリコールモノメチルエーテル、ジエチレングリコールモノエチルエーテル、ジエチレングリコールジメチルエーテル、エチレングリコールモノメチルエーテル、エチレングリコールモノエチルエーテル、ジプロピレングリコールモノメチルエーテル等のエーテル類等が挙げられ、これらのうちの１種または２種以上を組み合わせて用いることができる。
【００３２】
非水系溶媒としては、オクタノール等のアルコール類、メチルセロソルブ等のセロソルブ類、酢酸メチル等のエステル類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族復素環類、アセトニトリル等のニトリル類、Ｎ，Ｎ−ジメチルホルムアミド等のアミド類、カルボン酸塩またはその他の各種油類等の非水系溶媒（油系溶媒）が挙げられる。
【００３３】
また、分散媒６ａ、６ｂ（分散液１０ａ、１０ｂ）中には、必要に応じて、例えば、電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加するようにしてもよい。また、分散媒６ａ、６ｂを着色する場合には、分散媒６ａ、６ｂに、必要に応じて、アントラキノン系染料、アゾ系染料、インジゴイド系染料等の各種染料を溶解するようにしてもよい。
【００３４】
このように、第１の分散媒６ａおよび第２の分散媒６ｂとしては、水系溶媒、非水系溶媒のいずれを用いてもよいが、第１の分散媒６ａおよび第２の分散媒６ｂの一方を水系溶媒とし、他方を非水系溶媒とすることが好ましい。すなわち、第１の分散媒６ａを水系溶媒とすれば、第２の分散媒６ｂを非水系溶媒とするのが好ましく、反対に、第１の分散媒６ａを非水系溶媒とすれば、第２の分散媒６ｂを水系溶媒とするのが好ましい。第１の分散媒６ａおよび第２の分散媒６ｂをこのような組み合わせとすることにより、後述するように、乳化重合法を用いて、簡単に、マイクロカプセル４０（カプセル本体の中に別のマイクロカプセルを封入した構成のマイクロカプセル）を製造することができる。
【００３５】
第１の分散媒６ａに分散された白色粒子５ａおよび第２の分散媒６ｂに分散された着色粒子５ｂのうちの、少なくとも着色粒子５ｂは、正または負に帯電する帯電粒子（電気泳動粒子）である。すなわち、白色粒子５ａは、電荷を有さない非帯電粒子であるか、正または負に帯電する帯電粒子（電気泳動粒子）である。白色粒子５ａおよび着色粒子５ｂが共に帯電粒子である場合には、これらは、互いに反対の極に帯電している。すなわち、白色粒子５ａが正に帯電している場合には、着色粒子５ｂが負に帯電し、白色粒子５ａが負に帯電している場合には、着色粒子５ｂが正に帯電している。
【００３６】
ここで、白色粒子５ａとして、帯電粒子を用いても非帯電粒子を用いてもよいが、非帯電粒子を用いることが好ましい。非帯電粒子は、第１の電極３および第２の電極４間に電圧が印加されても、当該電圧印加により発生する電界の作用を受けずに、そのままの状態を維持する。そのため、後述する白色表示状態の時に、白色粒子５ａが第１の分散媒６ａ中に分散したまま状態となり、より明るい白色（すなわち、より反射率の高い白色）を表示することができる。その結果、表示装置２０の表示コントラストを高めることができる。
【００３７】
白色粒子５ａおよび着色粒子５ｂは、それぞれ、所望の電荷を有することとなれば、いかなるものをも用いることができ、特に限定はされないが、顔料粒子、樹脂粒子、セラミックス粒子、金属粒子、金属酸化物粒子またはこれらの複合粒子のうちの少なくとも１種が好適に使用される。これらの粒子は、製造が容易であるとともに、荷電の制御を比較的容易に行うことができるという利点を有している。
【００３８】
顔料粒子を構成する顔料としては、例えば、アニリンブラック、カーボンブラック、チタンブラック、亜クロム酸銅等の黒色顔料、二酸化チタン、三酸化アンチモン、硫化亜鉛、亜鉛華等の白色顔料、モノアゾ、ジスアゾ、ポリアゾ等のアゾ系顔料、イソインドリノン、黄鉛、黄色酸化鉄、カドミウムイエロー、チタンイエロー等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、紺青、群青、コバルトブルー等の青色顔料、フタロシアニングリーン等の緑色顔料等が挙げられ、これらのうちの１種または２種以上を組み合わせて用いることができる。
【００３９】
また、樹脂粒子を構成する樹脂材料としては、例えば、アクリル系樹脂、ウレタン系樹脂、尿素系樹脂、エポキシ系樹脂、ロジン樹脂、ポリスチレン、ポリエステル、スチレンとアクリロニトリルを共重合したＡＳ樹脂等が挙げられ、これらのうちの１種または２種以上を組み合わせて用いることができる。
また、複合粒子としては、例えば、顔料粒子の表面を樹脂材料で被覆したもの、樹脂粒子の表面を顔料で被覆したもの、顔料と樹脂材料とを適当な組成比で混合した混合物で構成される粒子等が挙げられる。
【００４０】
また、白色粒子５ａの第１の分散媒１０ａ中での分散性を向上させることを目的に、第１の分散媒１０ａと相溶性の高い高分子を物理的に吸着させたり、化学的に結合させたりすることができる。これらの中でも、白色粒子５ａの表面からの離脱着の問題から、前記高分子が化学的に結合しているものが特に好ましい。かかる構成とすれば、白色粒子５ａの見かけの比重が小さくなる方向に作用して、白色粒子５ａの第１の分散媒６ａでの親和性、すなわち分散性を向上させることができる。このことは、着色粒子５ｂの第２の分散媒１０ｂ中での分散性を向上させる場合についても同様である。
【００４１】
また、白色粒子５ａの形状は、特に限定されないが、球形状であるのが好ましい。白色粒子５ａは、第１の分散媒６ａ中での分散性を考慮した場合、より小さいものが好適に用いられ、具体的には、その平均粒径が、１０ｎｍ以上、５００ｎｍ以下程度であるのが好ましく、２０ｎｍ以上、３００ｎｍ以下程度であるのがより好ましい。白色粒子５ａの平均粒径を前記範囲とすることにより、白色粒子５ａ同士の凝集や、第１の分散媒６ａ中における沈降を確実に防止して、第１の分散媒６ａ中に分散させることができ、その結果、表示装置２０の表示品質の劣化を好適に防止することができる。着色粒子５ｂの形状や粒径についても、白色粒子５ａと同様である。
【００４２】
なお、本実施形態のように、２種の異なる粒子を用いる場合、２種の粒子の平均粒径を異ならせること、特に、白色粒子５ａの平均粒径を着色粒子５ｂの平均粒径より大きく設定するのが好ましい。これにより、表示装置２０の表示コントラストをより向上させることや、保持特性を向上させることができる。具体的には、着色粒子５ｂの平均粒径を２０ｎｍ以上、１００ｎｍ以下程度、白色粒子５ａの平均粒径を１５０ｎｍ以上、３００ｎｍ以下程度とするのが好ましい。
【００４３】
また、白色粒子５ａの比重は、第１の分散媒６ａの比重とほぼ等しくなるように設定されているのが好ましい。これにより、白色粒子５ａは、第１の分散媒６ａ中において一定の位置に長時間滞留することができる。そのため、白色表示状態の時に、白色粒子５ａが第１の分散媒６ａ中に分散した状態となり、より明るい白色（すなわち、より反射率の高い白色）を表示することができる。
【００４４】
これと同様に、着色粒子５ｂの比重は、第２の分散媒６ｂの比重とほぼ等しくなるように設定されているのが好ましい。これにより、第１の電極３および第２の電極４間への電圧の印加を停止した後においても、第２の分散媒６ｂ中において一定の位置に長時間滞留することができる。すなわち、表示装置２０にメモリー性を付与することができ、表示面１２１に表示された情報が長時間保持されることとなる。
【００４５】
このようなマイクロカプセル４０においては、第１のマイクロカプセル４０１全体の電荷、すなわち、カプセル本体４０１ａが有する電荷、各白色粒子５ａが有する電荷および第１の分散媒６ａが有する電荷の総和の絶対値（以下、単に「第１のマイクロカプセル４０１の電荷」とも言う。）が、各着色粒子５ｂが有する電荷の総和の絶対値よりも小さいことが好ましい。さらには、第１のマイクロカプセル４０１の電荷が０（ゼロ）であることがより好ましい。これにより、第２の分散媒６ｂ中にて、第１のマイクロカプセル４０１と着色粒子５ｂとのカップリング（静電力による吸着、凝集）を防止することができる。そのため、後述するように、表示装置２０は、高い表示コントラストを発揮することができる。
【００４６】
また、表示層４００の平面視にて、第１のマイクロカプセル４０１の面積をＳ１とし、第２のマイクロカプセル４０２の面積をＳ２としたとき、Ｓ１は、０．４Ｓ２≦Ｓ１≦０．９Ｓ２なる関係を満足するのが好ましく、０．６Ｓ２≦Ｓ１≦０．８Ｓ２なる関係を満足するのがより好ましい。このような範囲を満足することにより、後述する白色表示状態となっているマイクロカプセル４０を表示面１２１側から見たときに、第１のマイクロカプセル４０１によって、確実に、着色粒子５ｂを塞ぎ隠すことができる（すなわち、白色表示状態の時に、着色粒子５ｂが視認されてしまうのを防止することができる）。さらには、着色粒子５ｂの移動空間を比較的大きく確保することができるため、着色粒子５ｂを円滑に泳動させることができる。そのため、白色表示状態の時に、より明るい白色を表示することができ、その結果、表示装置２０の表示コントラストを高めることができる。また、表示色切り替えの反応速度の低下を防止することができる。
【００４７】
また、第１のマイクロカプセル４１０は、第２のマイクロカプセル４０２のカプセル本体４０２ａの内面と接触せずに、第２の分散媒６ｂ中に浮遊していることが好ましい。これにより、第２の分散媒６ｂ中の着色粒子５ｂの泳動がスムーズになる。具体的には、仮に、第１のマイクロカプセル４０１とカプセル本体４０２ａとが接触していると、その接触部に着色粒子５ｂがぶつかって移動が阻止されたり、接触部に着色粒子５ｂが挟まってしまったりして、着色粒子５ｂを所望の位置まで泳動させることができない場合が発生する。第１のマイクロカプセル４１０が、第２の分散媒６ｂ中に浮遊していれば上述の問題が発生しないため、表示装置２０は、優れた表示特性を発揮することができる。なお、第１のマイクロカプセル４１０を、第２のマイクロカプセル４０２と接触させずに、第２の分散媒６ｂ中に浮遊させるためには、第１のマイクロカプセル４０１全体（すなわち、カプセル本体４０１ａと分散液１０ａとを合わせたもの）の比重を、第２の分散媒６ｂの比重と等しくすることが好ましい。
このようなマイクロカプセル４０は、例えば、次のような乳化重合法により製造することができる。
【００４８】
まず、図２（ａ）に示すように、非水系の第１の分散媒６ａに複数の白色粒子５ａを分散させてなる非水系分散液９１を作成する。次いで、非水系分散液９１と水系の溶媒９２（例えば、水や、水と親水性有機溶媒との混合溶媒）とを混合し、第１の混合液９３を得る。次いで、第１の混合液９３を攪拌することにより、図２（ｂ）に示すように、非水系分散液９１が水系溶媒９２中で液滴（小滴）状となって分散した状態とする。このような攪拌を続けながら、第１の混合液９３に第１の重合性界面活性剤を加えることにより、図２（ｃ）に示すように、液滴状の非水系分散液９１の表面付近に樹脂層（カプセル本体４０１ａ）が形成される。これにより、第１のマイクロカプセル４０１が得られる。なお、第１の重合性界面活性剤は、カプセル本体４０１ａの構成材料に応じて、アニオン性のもの、カチオン性のものなど、適宜選択することができる。
【００４９】
次いで、図３（ａ）に示すように、水系の第２の分散媒６ｂに、前述のようにして製造した複数の第１のマイクロカプセルおよび着色粒子５ｂを分散させてなる水系分散液９４を作成する。次いで、水系分散液９４と非水系の溶媒９５とを混合し、第２の混合液９６を得る。次いで、第２の混合液９６を攪拌することにより、図３（ｂ）に示すように、水系分散液９４が非水系溶媒９５中で液滴（小滴）状となって分散した状態とする。このような攪拌を続けながら、第２の混合液９６に第２の重合性界面活性剤を加えることにより、図３（ｃ）に示すように、液滴状の水系分散液９４の表面付近に樹脂層（カプセル本体４０２ａ）が形成される。これにより、第２のマイクロカプセル４０２が得られるとともに、マイクロカプセル４０が得られる。なお、第２の重合性界面活性剤は、カプセル本体４０２ａの構成材料に応じて、アニオン性のもの、カチオン性のものなど、適宜選択することができる。
【００５０】
なお、上述の製造方法では、第１の分散媒６ａおよび溶媒９５を非水系とし、第２の分散媒６ｂおよび溶媒９２を水系としたが、逆に、第１の分散媒６ａおよび溶媒９５を水系とし、第２の分散媒６ｂおよび溶媒９２を非水系としてもよい。これによっても、上記と同様にマイクロカプセル４０を製造することができる。
このように、第１の分散媒６ａおよび第２の分散媒６ｂのうちの一方を水系の分散媒とし、他方を非水系の分散媒とすることにより、乳化重合法を用いて、簡単に、マイクロカプセル４０を製造することができる。
【００５１】
表示層４００に含まれるバインダー４１は、例えば、基板１１と基板１２とを接合する目的、基板１１と基板１２との間にマイクロカプセル４０を固定する目的、マイクロカプセル４０同士を固定する目的、第１の電極３および第２の電極４同士間の絶縁性を確保する目的等により供給される。これにより、表示装置２０の耐久性および信頼性をより向上させることができる。
【００５２】
バインダー４１には、基板１１、第２の電極４およびカプセル本体４０２ａ（第２のマイクロカプセル４０２）との親和性（密着性）に優れ、かつ、絶縁性に優れる樹脂材料（絶縁性または微小電流のみが流れる樹脂材料）が好適に使用される。
このようなバインダー４１としては、例えば、（メタ）アクリル系樹脂、（メタ）アクリルウレタン系樹脂、ポリ塩化ビニル系樹脂、ポリ塩化ビニリデン系樹脂、メラミン系樹脂、ウレタン系樹脂、スチレン系樹脂、アルキド系樹脂、フェノール系樹脂、エポキシ系樹脂、ポリエステル系樹脂、ポリビニルアルコール系樹脂、（メタ）アクリルシリコーン系樹脂、アルキルポリシロキサン系樹脂、シリコーン系樹脂、シリコーンアルキド系樹脂、シリコーンウレタン系樹脂、シリコーンポリエステル系樹脂、ポリアルキレングリコール系樹脂のような合成樹脂バインダー、エチレン−プロピレン共重合ゴム、ポリブタジエンゴム、スチレン−ブタンジエンゴム、アクリロニトリル−ブタジエンゴムのような合成ゴムまたは天然ゴムバインダー、硝酸セルロース、セルロースアセテートブチレート、酢酸セルロース、エチルセルロース、ヒドロキシプロピルメチルセルロース、ヒドロキシエチルセルロースのような熱可塑性または熱硬化性高分子バインダー等が挙げられ、これらのうちの１種または２種以上を組み合わせて用いることができる。
【００５３】
これらのバインダー４１のうち、マイクロカプセル４０の分散性が比較的良好であり、さらに、基板１１、基板１２およびマイクロカプセル４０との密着性に優れる点で、（メタ）アクリル系樹脂、ポリエステル系樹脂、ウレタン系樹脂、ポリアルキレングリコール系樹脂が好ましく用いられ、さらに、（メタ）アクリル系樹脂が特に好ましく用いられる。
【００５４】
さらに、基板１２と基板１１との間であって、それらの縁部に沿って、封止部７が設けられている。この封止部７により、第２の電極４および表示層４００が気密的に封止されている。これにより、表示装置２０（表示シート２１）内への水分の浸入を防止して、表示装置２０の表示性能の劣化をより確実に防止することができる。
封止部７の構成材料としては、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。なお、封止部７は、必要に応じて設ければよく、省略することもできる。
【００５５】
２．表示装置の動作方法
このような表示装置２０は、次のようにして作動する。
表示装置２０の第１の電極３と第２の電極４との間に電圧を印加すると、これらの間に電界が生じる。この電界にしたがって、着色粒子５ｂは、電極３、４のいずれかに向かって移動（電気泳動）する。以下では、白色粒子５ａとして非帯電粒子を用い、着色粒子（黒色粒子）５ｂとして負荷電の電気泳動粒子を用いた場合について代表して説明する。
【００５６】
・白色表示状態
図４（Ａ）に示すように、第１の電極３を正電位とすると、着色粒子５ｂは、第１の電極３側に移動して、第１の電極３に集まる。一方、白色粒子５ａは、電解の作用を受けないため、第１のマイクロカプセル４０１中で分散状態を維持する。このため、表示装置２０を上方（表示面１２１側）から見ると、白色粒子５ａの色が見えること、すなわち、白色が見えることになる。
【００５７】
・黒色表示状態
これとは逆に、図４（Ｂ）に示すように、第１の電極３を負電位とすると、着色粒子５ｂは、第１のマイクロカプセル４０１を回り込むようにして第２の電極４側に移動し、第２の電極４に集まる。このため、表示装置２０を上方（表示面１２１側）から見ると、着色粒子５ｂの色が見えること、すなわち、黒色が見えることになる。
【００５８】
なお、着色粒子５ｂは、前述のように、第１のマイクロカプセル４０を回り込むよう、すなわち、第１のマイクロカプセル４０１の外壁面または第２のマイクロカプセル４０２の内壁面に沿うようにして第２の電極４側に移動するため、先に第２の電極４に到達した着色粒子４ｂから順に第２のマイクロカプセル４０２の内壁面に沿って平面的に広がるようにして集まるため、言い換えれば、１箇所に重なりあうように集まるのが防止されるため、より鮮明な黒色を表示することができる。
このような構成において、電極３、４間の電位差等を画素ごとに適宜設定することにより、表示装置２０の表示面１２１には、白色粒子５ａおよび着色粒子５ｂの色の組み合わせ等に応じた所望の画像が表示される。
【００５９】
このように、本実施形態では、第１のマイクロカプセル４０１に封入される粒子を白色とし、第２のマイクロカプセル４０２に封入される粒子を黒色としているが、これとは反対に、第１のマイクロカプセル４０１に封入される粒子を黒色とし、第２のマイクロカプセル４０２に封入される粒子を白色としてもよい。しかしながら、より明るい白色を表示でき、表示コントラストを高くすることができるというメリットから、本実施形態の構成、すなわち、第１のマイクロカプセル４０１に封入される粒子を白色とし、第２のマイクロカプセル４０２に封入される粒子を黒色とするのが好ましい。
【００６０】
具体的に説明すれば、本実施形態の白色表示状態では、白色粒子５ａが第１の分散媒６ａ中に分散した状態となる。このように、分散媒６ａ中に分散している白色粒子５ａによって光を散乱させて白色表示を行うことにより、分散媒６ａ中で光を効果的に散乱させることができ、優れた白色表示特性を発揮することができる。よって、本実施形態の表示装置２０は、表示コントラストをより高くすることができる。一方、本実施形態の粒子５ａ、５ｂの色を反転した場合、白色表示状態では、白色の粒子（本実施形態の着色粒子５ｂに相当する粒子）が第２のマイクロカプセル４０２内の第２の電極４側に集まった状態となる。このように複数の粒子が集合した状態では、光を効果的に散乱させることができず、分散している場合と比較して表示される白色が暗くなる。このようなことから、本実施形態のように、第１のマイクロカプセル４０１に封入される粒子を白色とし、第２のマイクロカプセル４０２に封入される粒子を黒色とするのが好ましい。
【００６１】
ここで、この表示装置２０では、表示層４００中において、マイクロカプセル４０が、その面方向に隣接するもの同士が互いに接触し、かつ、厚さ方向に積層することなく配列しているので、かかる表示層４００を備える表示装置２０は、高いコントラストを発揮することができる。
また、表示装置２０では、表示層４００に含有されるマイクロカプセル４０が球状をなして存在していることにより、耐圧性および耐ブリード性に優れている。したがって、このように表示装置２０を作動させているとき、もしくは、表示装置２０を保存している間に、表示装置２０に衝撃が加わったり、表示面が押圧されたりした場合でも、マイクロカプセル４０の破壊や電気泳動分散液１０の散逸が防止され、長期間安定に動作することができる。
【００６２】
＜第２実施形態＞
次に、本発明の表示装置の第２実施形態について説明する。
図５は、本発明の第２実施形態にかかる表示装置が有するマイクロカプセルを示す断面図である。
以下、第２実施形態の表示装置について、前述した実施形態との相違点を中心に説明し、同様の事項については、その説明を省略する。
【００６３】
本発明の第２実施形態にかかる表示装置は、第２のマイクロカプセル（第２の収容部）内に収容された第１のマイクロカプセルの数が異なる以外は、第１実施形態の表示装置と同様である。なお、前述した実施形態と同様の構成には、同一符号を付してある。
図５に示すように、本実施形態のマイクロカプセル４０では、複数のマイクロカプセル４０が、黒色粒子５ｂとともに第２の分散媒６ｂに分散した状態で第２のマイクロカプセル４０２内に封入されている。
【００６４】
このように、第２のマイクロカプセル４０２に、複数の第１のマイクロカプセル４０１を封入すると、複数の第１のマイクロカプセル４０１が第２のマイクロカプセル４０２中で分散するため、結果として、第２のマイクロカプセル４０２内での白色粒子５ａの分散性が向上する。その結果、より鮮明な白色を表示することができる。
特に、第１のマイクロカプセル４０の電荷がゼロの場合には、第１のマイクロカプセル４０同士の電気的な反発が生じず、第２のマイクロカプセル４０２内で複数の第１のマイクロカプセル４０を均一に分散させることができる。その結果、上記効果がより顕著となる。
【００６５】
第２のマイクロカプセル４０２内に封入する第１のマイクロカプセル４０１の数としては、第１のマイクロカプセル４０の大きさによっても異なるが、２個以上、１０個以下程度であるのが好ましい。
このような第２実施形態によっても、第１実施形態と同様の効果を発揮することができる。
【００６６】
＜第３実施形態＞
次に、本発明の表示装置の第３実施形態について説明する。
図６は、本発明の表示装置の第３実施形態を示す断面図である。
以下、第３実施形態の表示装置について、前述した実施形態との相違点を中心に説明し、同様の事項については、その説明を省略する。
【００６７】
本発明の第３実施形態にかかる表示装置は、第２のマイクロカプセル（第２の収容部）の形状が異なる以外は、第２実施形態の表示装置と同様である。なお、前述した実施形態と同様の構成には、同一符号を付してある。
図６に示すように、本実施形態の第２のマイクロカプセル４０２’（カプセル本体４０２ａ’）は、水平方向に拡がった扁平形状となっている。換言すれば、第２のマイクロカプセル４０２’は、石垣構造を形成している。このような構成の表示層４００’を有する表示装置２０’では、有効表示領域が増大し、コントラストが良好なものとなる。また、着色粒子５ｂの上下方向への移動距離を短縮することができるため、表示色の切り替え速度の向上を図ることもできる。
【００６８】
なお、このような形状の第２のマイクロカプセル４０２’は、例えば、球形のカプセル本体４０２ａ’を基板１１、１２で挟持し、上下方向に圧縮することにより形成することができる。
このような第３実施形態によっても、第１実施形態と同様の効果を発揮することができる。
【００６９】
＜第４実施形態＞
次に、本発明の表示装置の第４実施形態について説明する。
図７は、本発明の表示装置の第４実施形態を示す断面図である。
以下、第４実施形態の表示装置について、前述した実施形態との相違点を中心に説明し、同様の事項については、その説明を省略する。
【００７０】
本発明の第４実施形態にかかる表示装置は、第２の収容部の構成が異なる以外は、第１実施形態の表示装置と同様である。なお、前述した第１実施形態と同様の構成には、同一符号を付してある。
図７に示すように、本実施形態の第２の収容部は、マイクロカプセルではなく、セル４０３で構成されている。表示層４００”は、複数の凹部４０４ａを有する基体４０４と、基体４０４の各凹部４０４ａの開口を覆うように設けられた蓋体４０５とを有しており、セル４０３は、各凹部４０４ａを分散液１０ｂで満たした後、蓋体４０５で蓋をする（封止する）ことにより形成されている。
【００７１】
基体４０４および蓋体４０５の構成材料としては、比較的絶縁性の高い材料を用いることができ、例えば、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーなどが挙げられる。また、蓋体４０５には、実質的に無色透明なものが用いられる。
このような第４実施形態によっても、第１実施形態と同様の効果を発揮することができる。
【００７２】
以上説明したような表示装置２０は、それぞれ、各種電子機器に組み込むことができる。電気泳動表示装置を備える本発明の電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
これらの電子機器のうちから、電子ペーパーを例に挙げ、具体的に説明する。
【００７３】
図８は、本発明の電子機器を電子ペーパーに適用した場合の実施形態を示す斜視図である。
図８に示す電子ペーパー６００は、紙と同様の質感および柔軟性を有するリライタブルシートで構成される本体６０１と、表示ユニット６０２とを備えている。このような電子ペーパー６００では、表示ユニット６０２が、前述したような表示装置２０で構成されている。
【００７４】
次に、本発明の電子機器をディスプレイに適用した場合の実施形態について説明する。
図９は、本発明の電子機器をディスプレイに適用した場合の実施形態を示す図である。このうち、図９中（ａ）は断面図、（ｂ）は平面図である。
図９に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図８に示す構成と同様である。
【００７５】
本体部８０１は、その側部（図９中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００７６】
また、本体部８０１の表示面側（図９（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００７７】
また、電子ペーパー６００の挿入方向先端部（図９中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。これにより、利便性が向上する。
【００７８】
以上、本発明の表示シート、表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、前述した実施形態では、第１の粒子が白色をなし、第２の粒子が黒色をなす形態について説明したが、第１の粒子および第２の粒子の色としては、互いに色が異なっていれば、特に限定されず、例えば、灰色等のむ彩色や、赤、青、緑等の有彩色や、金、銀等の金属色であってもよい。また、第１の粒子の色と第２の粒子の色の組み合わせとしても、互いに色が異なっていれば、特に限定されない。
【符号の説明】
【００７９】
１‥‥基部    ２‥‥基部    ３‥‥第１の電極    ４‥‥第２の電極    ４ｂ‥‥着色粒子    ５ａ‥‥白色粒子（第１の粒子）    ５ｂ‥‥着色粒子（第２の粒子）    ６ａ‥‥第１の分散媒    ６ｂ‥‥第２の分散媒    ７‥‥封止部    １０ａ、１０ｂ‥‥分散液    １１‥‥対向基板    １２‥‥基板    １２１‥‥表示面    ２０、２０’‥‥表示装置    ２１‥‥表示シート    ２２‥‥回路基板    ４００、４００’、４００”‥‥表示層    ４０‥‥マイクロカプセル    ４０１‥‥第１のマイクロカプセル    ４０１ａ‥‥カプセル本体    ４０２、４０２’‥‥第２のマイクロカプセル    ４０２ａ‥‥カプセル本体    ４０３‥‥セル    ４０４‥‥基体    ４０４ａ‥‥凹部    ４０５‥‥蓋体    ４１‥‥バインダー    ６００‥‥電子ペーパー    ６０１‥‥本体    ６０２‥‥表示ユニット    ８００‥‥ディスプレイ    ８０１‥‥本体部    ８０２ａ‥‥搬送ローラ対    ８０３‥‥孔部    ８０４‥‥透明ガラス板    ８０５‥‥挿入口    ８０６‥‥端子部    ８０７‥‥ソケット    ８０８‥‥コントローラー    ８０９‥‥操作部    ９１‥‥非水系分散液    ９２、９５‥‥溶媒    ９３‥‥第１の混合液    ９４‥‥水系分散液    ９６‥‥第２の混合液
【図１】
2011232452.tif 000003
【図２】
2011232452.tif 000004
【図３】
2011232452.tif 000005
【図４】
2011232452.tif 000006
【図５】
2011232452.tif 000007
【図６】
2011232452.tif 000008
【図７】
2011232452.tif 000009
【図８】
2011232452.tif 000010
【図９】
2011232452.tif 000011